(57)【要約】【課題】  極めて細くスマートで軽く放熱性に優れ、横方向に広い範囲に均質な照度を与える照明器具の光源部分を提供する。【解決手段】筒状金属ケース（２８）の管壁の長手方向の略全長にわたって細長状の通気性開口部（３０）を形成し、通気性開口部（３０）形成部の管璧の断面を略Ｃ字状に形成する。筒状金属ケース（２８）の通気性開口部（３０）と対向する内周面側に多数のＬＥＤ素子（３４）が列状に配列された細長状のバータイプＬＥＤ（３２）をＬＥＤホルダー（３８）を介して配設し、ＬＥＤホルダー（３８）と筒状金属ケース（２８）の内周面との間に熱放散ジェル（４０）を充填し、バータイプＬＥＤ（３２）のＬＥＤ素子（３２）を通気性開口部（３０）に対向させる。【選択図】  図１
0003166811.tif 000002
【実用新案登録請求の範囲】
【請求項１】
管壁の長手方向の略全長にわたって細長状の通気性開口部（３０）が形成され、前記通気性開口部（３０）形成部の断面が略Ｃ字状に形成された筒状金属ケース（２８）と、該筒状金属ケース（２８）の前記開口部（３０）と対向する内周面側にＬＥＤホルダー（３８）を介して取り付けられた多数のＬＥＤ素子（３４）が列状に配列された細長状のバータイプＬＥＤ（３２）と、該ＬＥＤホルダー（３８）と前記筒状金属ケース（２８）の内周面との間に充填された熱放散材とより成り、前記バータイプＬＥＤ（３２）のＬＥＤ素子（３４）を前記通気性開口部（３０）に対向させたことを特徴とするＬＥＤ照明器具の光源装置。
【請求項２】
前記バータイプＬＥＤ（３２）を、前記通気性開口部（３０）の全長と略同じ長さに設定したことを特徴とする請求項１に記載のＬＥＤ照明器具の光源装置。
【請求項３】
前記熱放散材を熱放散ジェル（４０）により構成したことを特徴とする請求項１に記載のＬＥＤ照明器具の光源装置。
【考案の詳細な説明】
【技術分野】
【０００１】
本考案は、照明スタンド、壁付灯、天井灯、ペンダントライトなど多様な照明器具に使用できるＬＥＤ素子を列状に配置したバータイプＬＥＤを用いた光源装置に関する。
【背景技術】
【０００２】
ＬＥＤを用いた照明器具が従来知られている（例えば特許文献１参照）。
また、筒状ケース内に複数個のＬＥＤ素子を配置したＬＥＤ照明装置が知られている（例えば特許文献２参照）。
しかるに、細い筒状金属ケースにスリット状の通気性開口部を設け、且つ筒状金属ケース内のバータイプＬＥＤの発熱に対して、熱放散ジェルなどの熱放散材で発熱対策を施した構成の照明器具用光源装置は従来知られていない。
【先行技術文献】
【特許文献】
【０００３】
【特許文献１】特開２００６−１０７８５１号公報
【特許文献２】実用新案登録第３１５０８１７号公報
【考案の概要】
【考案が解決しようとする課題】
【０００４】
本考案は、複数のＬＥＤ素子が列状に配列された長尺状の既製品規格サイズのバータイプＬＥＤ一本をスリット状の通気性開口部を設けた筒状金属の中に納め、このバータイプＬＥＤの発熱を熱放散ジェルなどの熱放散材で処理することにより、極めて細くスマートで軽く且つ発熱耐久性に優れた照明器具の光源部分を構成することを目的とするものである。
【課題を解決するための手段】
【０００５】
上記目的を達成するため、本考案は、管壁の長手方向の略全長にわたって細長状の通気性開口部（３０）が形成され、前記通気性開口部（３０）形成部の断面が略Ｃ字状に形成された筒状金属ケース（２８）と、該筒状金属ケース（２８）の前記開口部（３０）と対向する内周面側にＬＥＤホルダー（３８）を介して取り付けられた多数のＬＥＤ素子（３４）が列状に配列された細長状のバータイプＬＥＤ（３２）と、該ＬＥＤホルダー（３８）と前記筒状金属ケース（２８）の内周面との間に充填された熱放散ジェル（４０）などの熱放散材とより成り、前記バータイプＬＥＤ（３２）のＬＥＤ素子（３４）を前記通気性開口部（３０）に対向させたものである。
また本考案は、前記バータイプＬＥＤ（３２）を、前記通気性開口部（３０）の全長と略同じ長さに設定したものである。
【考案の効果】
【０００６】
本考案は、ＬＥＤ素子を列状に配置したバータイプＬＥＤを、スリット状の通気性開口を設けた筒状金属ケースの中に納めたので、極めて細くスマートで軽い照明器具の光源部分を構成することができる。
また光源部分は特別の反射面を設けなくても、ＬＥＤ特有の配光特性により主な光束を無駄なく目的の照射面に向けることができるばかりでなく、横幅の広い均一な照度の大きな面積を照射することができる。
また、筒を指で回転調整することにより、容易に照射角度を調整することができる。
また、筒を回転調整することにより、ＬＥＤ素子からの直接的グレア（眩しさ）を遮断できる。
また、放熱性能が良いので光源装置が熱くならない。
【図面の簡単な説明】
【０００７】
【図１】本考案に係る光源装置の断面図である。
【図２】本光源装置を用いた電気スタンドの正面図である。
【図３】同上、側面図である。
【図４】同上、要部の断面図である。
【考案を実施するための形態】
【０００８】
以下に本考案の構成を添付した図面を参照して詳細に説明する。
図２は本考案に係るＬＥＤ光源装置を使用した電気スタンドの全体正面図を示している。本考案に係るＬＥＤ光源装置は電気スタンド以外に、壁付灯、天井灯、ペンダントライトその他多様な照明器具に使用でき、下記に説明するＬＥＤ電気スタンドの実施形態に特に限定されるものではない。
ＬＥＤ電気スタンド２は、台座４と、下部支柱６と、回転連結機構部８と、光源装置支持用のアーム１０と、ＬＥＤ光源装置１４とより構成されている。
【０００９】
前記台座４は、机やテーブル上に載置するのに適した四角形状に設定され、石材、木材、金属、プラスチックその他の任意の材料により構成される。台座４の下面には、硬質ゴムなどからなる脚部１６が突設され、台座４の裏面に下部支柱６の取付スペースを確保している。前記台座４には、垂直に穴が穿設され、該穴に金属パイプからなる下部支柱６の下部ねじ部が挿入され、ナット２０，２２により、該下部ねじ部が台座４に固定されている。
【００１０】
前記下部支柱６の上端部には、回転連結機構部８の回転軸２４が、載置面１８に対して水平な軸線を中心に回転可能に連結している。回転軸２４は、つまみ２７を回転操作することで、回転軸２４を、下部支柱６に固定及び固定解除することができるように構成されている。上記つまみ２７、及び回転軸２４は、回転連結機構部８を構成している。前記回転軸２４には、その軸方向に対して直角に取付穴が穿設され、該取付穴に金属パイプからなる光源装置支持用のアーム１０の下部が挿入されている。
【００１１】
光源装置支持用のアーム１０は前記回転軸２４を中心とする揺動範囲が下部支柱６に固設された２つのストッパー部を有するアームストッパー２６によって、図３に示すように、載置面１８に対してほぼ水平状態から垂直状態に近い角度位置の間で規制されている。光源装置支持用アーム１０の上部には、わん曲部１０aが形成され、該わん曲部１０aによってその先端部が前記載置面１８に対して水平な上位水平部１０ｂが形成されている。
【００１２】
前記光源装置支持用アーム１０の先端の上位水平部１０ｂには、アルミニウムなどの金属パイプからなる筒状金属ケース２８の一方が回転自在に嵌合している。
図４中、３１は、アーム１０の水平部１０ｂに嵌挿された軸受ホルダー、４４はアーム１０の水平部１０ｂのねじ部に螺合する管体、４６は筒状金属ケース２８の一端に固定され、内径部が前記水平部１０ｂのねじ部に螺合する筒状金属ケースのエンドキャップ、４８はプラスチックワッシャー、５０は、アーム１０の水平部１０ｂに固定された盤体、５２は筒状金属ケース２８を管体４４に固定するためのねじである。これらは筒状金属ケース２８の回転部１２を構成している。前記筒状金属ケース２８の他端部には、エンドキャップ３３と電源オンオフ用のプッシュスイッチ３５が取り付けられている。
【００１３】
前記筒状金属ケース２８を水平部１０ｂに対して任意の角度に調整する場合には、筒状金属ケース２８を指で、圧縮されたウレタンゴムワッシャ４８の摩擦力に抗して回転させる。筒状金属ケース２８が回転するとエンドキャップ４６と管体４４が水平部１０ｂに対して連動して回転する。前記筒状金属ケース２８は圧縮されたプラスチックワッシャ４８の摩擦で自由な回転が押さえられている。前記筒状金属ケース２８の管壁には、両端近傍の所定の短い範囲を残して、筒状金属ケース２８の略全長にわたって通気性開口部３０が形成されている。
【００１４】
前記通気性開口部３０は、図１に示すように、筒状金属ケース２８の全周の略１／４の範囲にわたって形成されている。前記筒状金属ケース２８の内部には、前記通気性開口部３０の長手方向の略全長にわたって細長長尺状のバータイプＬＥＤ３２が配置されている。バータイプＬＥＤ３２は、既成の規格品であり、多数のＬＥＤ素子３４が互いに所定間隔を存して一列状に配列配置されている。
本実施形態ではバータイプＬＥＤ３２は各ＬＥＤ素子３４の間隔の短いものを使用しているので、字を書くとき筆記用具の影ができない。
【００１５】
バータイプＬＥＤ３２は、接着剤と両端のビスにより、ＬＥＤホルダー３８に固定されている。このＬＥＤホルダー３８は所定のスペースを介してビス４１により、前記通気性開口部３０と対向する筒状金属ケース２８の内壁面に固定されている。前記バータイプ列状配置ＬＥＤ３２の各ＬＥＤ素子３４は、前記通気性開口部３０と対向している。ＬＥＤホルダー３８と筒状金属ケース２８の内壁面との間には、熱放散ジェル４０から成る熱放散材が充填され、接着と放熱の役割を担っている。尚、熱放散材は熱放散ジェル４０に特に限定されるものではない。
【００１６】
上記筒状金属ケース２８、バータイプＬＥＤ３２はＬＥＤ電気スタンド２のＬＥＤ光源装置１４を構成している。バータイプＬＥＤ３２の電線コード３６の大部分はアーム１０及び筒状金属ケース２８の中に納められる。電源コード４２は、アーム１０の中を通ってアーム１０の下端から外部に導かれている。電源コード４２は、ピンジャック３６で電源アダプター（図示省略）に接続される。  
【００１７】
上記した構成において、電源スイッチオンにより、ＬＥＤ光源装置１４のＬＥＤ素子３４の光は、通気性開口部３０から外部に照射される。ＬＥＤ光源装置１４は、特別の反射面を設けなくても、照度分布曲線ｄに示すように、ＬＥＤ特有の配光特性により、主な光束を大きな無駄がなく目的の照射面に向けることができる。尚、必要によりバータイプＬＥＤと開口部の間に反射面を設けることもできる。その結果、横幅の広い均一照度の照射面積が得られ、筒状金属ケース２８を回転調整することにより、容易に照射角度を調整することができる。また、筒状金属ケース２８を回転調整することにより、通気性開口部３０を利用してＬＥＤ素子３４からの直接的グレア（眩しさ）を遮断できる。
【符号の説明】
【００１８】
２        ＬＥＤ電気スタンド
４        台座
６        下部支柱
８        回転連結機構部
１０      アーム
１０a    わん曲部
１０ｂ    水平部
１２      回転機構部
１４      光源装置
１６      台座脚部
１８      載置面
２０      ナット
２２      ナット
２４      回転軸
２６      ストッパー
２８      筒状金属ケース
３０      通気性開口部
３２      バータイプＬＥＤ
３４      ＬＥＤ素子                  
３６      ピンジャック
３８      ＬＥＤホルダー
４０      熱放散ジェル
４２      電源コード
【図１】
0003166811.tif 000003
【図２】
0003166811.tif 000004
【図３】
0003166811.tif 000005
【図４】
0003166811.tif 000006